【事件の表示】
　特許第２９１３２８７号「パチンコ機の制御装置」の特許に対する特許異議の申立てについて、次のとおり決定する。
【結　論】
　訂正を認める。
　特許第２９１３２８７号の特許を維持する。
【理　由】
１．手続の経緯
  本件特許第２９１３２８７号の発明は、特願昭６２−３３４０１１号（昭和６２年１２月２８日出願）の一部を分割して出願した特願平８−２１０５９３号を原出願として平成９年１１月１７日に特許出願され、平成１１年４月１６日に設定登録された。その後、平成１１年１２月２８日に細江裕実より特許異議の申立てがあり、これを受けて平成１２年４月２０日付け取消理由通知がなされ、平成１２年７月７日付け訂正請求がなされた。
２．訂正の内容とその適否について
（１）訂正の内容
イ．特許請求の範囲の訂正
「１．パチンコ機に設けた入力装置から入力される信号に応じ格納された遊技手順に基づいて前記パチンコ機に設けた出力装置を制御する制御回路を有し、該制御回路を複数種の前記パチンコ機にそれぞれ共通使用可能な共通回路と前記複数種の各パチンコ機にそれぞれ固有な非共通回路とで構成し、前記共通回路は、種類の異なるパチンコ機に共通に仕様可能な音声を発生させる音声信号回路を含み、前記非共通回路は固有音声を発生させる音声信号発生回路を含み、前記各々の音声信号発生回路の出力信号をパチンコ機に設けたスピーカに入力するように構成したことを特徴とするパチンコ機の制御装置。
２．共通回路は、少なくとも共通ＲＯＭおよびＣＰＵが一体に形成される集積回路が設けられていることを特徴とする請求項１に記載のパチンコ機の制御装置。」を、
「１．パチンコ機に設けた入力装置から入力される信号に応じ予め格納された遊技手順に基づいて前記パチンコ機に設けた出力装置を制御する制御回路を有し、該制御回路を遊技内容又は仕様が異なる複数種の前記パチンコ機にそれぞれ共通使用可能な共通プログラムが格納されているＲＯＭを備えた共通回路と、前記遊技内容又は仕様が異なる複数種の各パチンコ機にそれぞれ固有な非共通プログラムが格納されている非共通ＲＯＭを備えた非共通回路とで構成し、前記共通回路には、少なくとも共通プログラムが格納されている前記ＲＯＭおよびＣＰＵが一体に形成される集積回路が設けられており、前記共通回路は、種類の異なるパチンコ機に共通に仕様可能な音声を発生させる音声信号回路を含み、前記非共通回路は、固有音声を発生させる音声信号発生回路を含み、前記各々の音声信号発生回路の出力信号をパチンコ機に設けたスピーカに入力するように構成したことを特徴とするパチンコ機の制御装置。」と訂正する。
ロ．発明の詳細な説明の欄の訂正
（訂正事項ａ）
「【００１９】【課題を解決するための手段】本発明は上記課題を解決するための手段として、請求項１に記載された発明においては、パチンコ機に設けた入力装置から入力される信号に応じ格納された遊技手順に基づいて前記パチンコ機に設けた出力装置を制御する制御回路を有し、該制御回路を複数種の前記パチンコ機にそれぞれ共通使用可能な共通回路と前記複数種の各パチンコ機にそれぞれ固有な非共通回路とで構成し、前記共通回路は、種類の異なるパチンコ機に共通に仕様可能な音声を発生させる音声信号回路を含み、前記非共通回路は、固有音声を発生させる音声信号発生回路を含み、前記各々の音声信号発生回路の出力信号をパチンコ機に設けたスピーカに入力するような構成としている。」を、
「【００１９】【課題を解決するための手段】本発明は上記課題を解決するための手段として、請求項１に記載された発明においては、パチンコ機に設けた入力装置から入力される信号に応じ予め格納された遊技手順に基づいて前記パチンコ機に設けた出力装置を制御する制御回路を有し、該制御回路を遊技内容又は仕様が異なる複数種の前記パチンコ機にそれぞれ共通使用可能な共通プログラムが格納されているＲＯＭを備えた共通回路と、前記遊技内容又は仕様が異なる複数種の各パチンコ機にそれぞれ固有な非共通プログラムが格納されている非共通ＲＯＭを備えた非共通回路とで構成し、前記共通回路には、少なくとも共通プログラムが格納されている前記ＲＯＭおよびＣＰＵが一体に形成される集積回路が設けられており、前記共通回路は、種類の異なるパチンコ機に共通に仕様可能な音声を発生させる音声信号回路を含み、前記非共通回路は、固有音声を発生させる音声信号発生回路を含み、前記各々の音声信号発生回路の出力信号をパチンコ機に設けたスピーカに入力するように構成したことを特徴とする。」と訂正する。
（訂正事項ｂ）
「【００２０】また請求項２に記載された発明においては、請求項１に記載のものにおいて、共通回路は、少なくとも共通ＲＯＭおよびＣＰＵが一体に形成される集積回路が設けられていることを特徴とする請求項１に記載のパチンコ機の制御装置。」を削除する。
（訂正事項ｃ）
「【００２１】本発明は上記構成により、遊技内容を他内容に変換する場合、共通回路、非共通回路の双方に備えられた音声信号発生回路を作動させるときに、パチンコ機のスピーカからそれぞれ固有の音を発するので、周囲に居る者の注意を喚起することになる。又、共通集積集積回路が少なくとも共通ＲＣＭおよびＣＰＵを一体に形成しているので、第三者が共通集積回路の構成と、その周辺回路における相関関係とのハードウエアおよびソフトウエアについて解析することを、複数種類の回路が混在する集積回路で形成することで困難にするとともに、不正行為の発生を抑止する。」を、
「【００２１】本発明は上記構成により、遊技内容を他内容に変換する場合、共通回路、非共通回路の双方に備えられた音声信号発生回路を作動させるときに、パチンコ機のスピーカからそれぞれ固有の音を発するので、周囲に居る者の注意を喚起することになる。又、共通集積回路が少なくとも共通ＲＯＭおよびＣＰＵを一体に形成しているので、第三者が共通集積回路の構成と、その周辺回路における相関関係とのハードウエアおよびソフトウエアについて解析することを、複数種類の回路が混在する集積回路で形成することで困難にするとともに、不正行為の発生を抑止する。」と訂正する。
（訂正事項ｄ）
「【００３８】共通回路８は遊技内容または仕様が異る複数種類のパチンコ機２にそれぞれ共通仕様可能であり、非共通回路９は前記複数種類の各パチンコ機２にそれぞれパチンコ機に固有なものである。したがって、非共通回路９は異機種の各パチンコ機間における共通仕様は不可能である。」を、
「【００３８】共通回路８は遊技内容または仕様が異る複数種類のパチンコ機２にそれぞれ共通使用可能であり、非共通回路９は前記複数種類の各パチンコ機２にそれぞれパチンコ機に固有なものである。したがって、非共通回路９は異機種の各パチンコ機間における共通使用は不可能である。」と訂正する。
（訂正事項ｅ）
「【００６１】【発明の効果】本発明は、以上説明したように、パチンコ機に設けた入力装置から入力される信号に応じ予め格納された遊技手順に基づいて前記パチンコ機に設けた出力装置を制御する制御回路を有し、該制御回路を複数種の前記パチンコ機にそれぞれ共通使用可能な共通回路と前記複数種の各パチンコ機にそれぞれ固有な非共通回路とで構成し、前記共通回路は、種類の異なるパチンコ機に共通に使用可能な音声を発生させる音声信号回路を含み、前記非共通回路は固有音声を発生させる音声信号発生回路を含み、前記各々の音声信号発生回路の出力信号をパチンコ機に設けたスピーカに入力するように構成したことを特徴とするパチンコ機の制御装置であるから、共通回路および非共通回路ともに交換が容易になり、かつ、共通回路には共通に使用可能な音声を発生させる音声信号発生回路を設け、非共通回路には、固有の音声を発生させる音声信号発生回路を設け、各々の出力信号をパチンコ機に設けたスピーカに入力したので、その状態が周囲に居る者の注意力を喚起することになり、その効果は多大である。」を、
「【００６１】【発明の効果】本発明は、以上説明したように、パチンコ機に設けた入力装置から入力される信号に応じ予め格納された遊技手順に基づいて前記パチンコ機に設けた出力装置を制御する制御回路を有し、該制御回路を遊技内容又は仕様が異なる複数種の前記パチンコ機にそれぞれ共通使用可能な共通プログラムが格納されているＲＯＭを備えた共通回路と、前記遊技内容又は仕様が異なる複数種の各パチンコ機にそれぞれ固有な非共通プログラムが格納されている非共通ＲＯＭを備えた非共通回路とで構成し、前記共通回路には、少なくとも共通プログラムが格納されている前記ＲＯＭおよびＣＰＵが一体に形成される集積回路が設けられており、前記共通回路は、種類の異なるパチンコ機に共通に使用可能な音声を発生させる音声信号回路を含み、前記非共通回路は、固有音声を発生させる音声信号発生回路を含み、前記各々の音声信号発生回路の出力信号をパチンコ機に設けたスピーカに入力するように構成したことを特徴とするパチンコ機の制御装置であるから、共通回路および非共通回路ともに交換が容易になり、かつ、共通回路には共通にしよう可能な音声を発生させる音声信号発生回路を設け、非共通回路には、固有の音声を発生させる音声信号発生回路を設け、各々の出力信号をパチンコ機に設けたスピーカに入力したので、その状態が周囲に居る者の注意力を喚起することになり、その効果は多大である。」と訂正する。
（２）訂正の目的の適否及び拡張・変更の存否
　上記特許請求の範囲の訂正内容は、特許明細書及び図面に記載された事項の範囲内であり、かつ特許請求の範囲の減縮に該当し、実質的に特許請求の範囲を拡張・変更するものではない。
　また、同時になされた発明の詳細な説明の欄の訂正内容は、特許明細書及び図面に記載された事項の範囲内であり、かつ上記特許請求の範囲の訂正内容との整合性を図るべく明瞭でない記載の釈明と誤記の訂正を目的とするものであって、実質的に特許請求の範囲を拡張・変更するものではない。
（３）独立特許要件の判断
（３−１）訂正明細書の発明
　訂正明細書の発明の要旨（以下、本件発明という）は、訂正明細書の特許請求の範囲に記載された事項により特定されるとおりのものである（上記（１）訂正の内容参照）。
（３−２）引用刊行物記載の発明
　これに対して、当審が先の取消理由通知書にて示した本件特許の出願日前に頒布された刊行物である特開昭６２−１８３７７９号公報（以下、引用例１という）、特開昭５６−１３９７７５号公報（以下、引用例２という）、特開昭５５−１３３２７４号公報（以下、引用例３という）には、それぞれ以下の発明が記載されている。
（引用例１）
「２．特許請求の範囲
（１）遊技機に設けられた入力部材からの信号を受けて、遊技機に設けられた出力部材を制御する回路基板を、多種類の遊技機で共通的に使用できる共通回路部を備える共通回路基板と、各種類別の遊技機に特有の制御をする種類別回路部を備える種類別回路基板とで構成し、種類別回路基板を共通回路基板に対して着脱自在にしたことを特徴とする、遊技機の制御基板。
（４）前記遊技機は、遊技盤を取替えることによって、該遊技盤に設けられている前記出力部材を交換可能なパチンコ遊技機である、特許請求の範囲第１項記載の遊技機の制御基板。」
「この発明は、制御基板を主制御部と副制御部とで構成し、遊技盤の変更によるゲーム内容の変更に対し、副制御部だけを交換することにより対処可能にした制御基板を提供することを主たる目的としている。」（第２頁右上欄第１２行〜第１６行）
「共通回路基板１２には、中央処理装置（ＣＰＵ）およびランダムアクセスメモリ（ＲＡＭ）を含む集積回路チップ２４、リードオンメモリ（ＲＯＭ）を含む集積回路チップ２６、電源回路集積回路チップ２８、音発生回路集積回路チップ３０を含んでいる。ＲＯＭ集積回路チップ２６には、各種類別のパチンコ遊技機特有の制御プログラムが格納されているが、この実施例では、共通回路基板１２の方に取付けられている。そのため、種類別回路基板１４の交換時に、ＲＯＭ集積回路チップ２６も交換できるように、ＲＯＭ集積回路チップ２６は、共通回路基板１２上にコネクタ３２を取付け、該コネクタ３２に対して着脱自在に設けられている」（第２頁右下欄第１６行〜第３頁左上欄第９行）
「種類別回路基板１４は、この制御基板１０が取付けられるパチンコ遊技機の種類に応じて交換されるもので、所定の種類別回路基板１４が選ばれ、図示ように共通回路基板１２と電気的に結合される」（第３頁右上欄第１５行〜第１９行）
「第５図は、第４図に示す第４の実施例をパチンコ遊技機８０の機構板８１に取付ける場合を表わす図である。」（第４頁右下欄第３行〜第５行）
「第６図は、この発明の一実施例の制御基板１０を含むパチンコ機８０の正面図である。第７図を参照して、パチンコ機８０は、前面枠８２に取替え可能なように着脱自在に装着された遊技盤８４を含む。遊技盤８４のほぼ中央部には、前述した制御基板１０によって制御される可変表示装置８６が設けられ、その下には可変表示装置８６の表示態様に基づいて開閉制御される開閉板８８を含む９０が設けられている。可変入賞球装置９０も、上記制御基板１０によって制御される。可変入賞球装置９０は、開閉板８８が前方に開いたとき、そこに横長の入賞開口が現れるようにされている。可変表示装置８６の左右両側および下側中央には、始動入賞孔９２ａ、９２ｂ、９２ｃが設けられている」（第４頁右下欄第１７行〜第５頁左上欄第１１行）
「パチンコ遊技機８０には、さらに、打球供給皿１０６に内蔵された効果音発生用のスピー力１０８および数多くの表示ランプが設けられており、これらも制御基板１０によって制御される」（第５頁右上欄第１７行〜第２０行）
「第１１図において、２点鎖線１２で囲った各回路が、第５図で説明した制御基板１０のうち、共通回路基板１２に備えられている。また、２点鎖線１４で囲った各回路は、種類別回路基板１４に備えられている」（第６頁右上欄第１５行〜第１９行。なお、第１１図中、符号１１は符号１４の誤記と認められる。）
「この発明は、遊技機に設けられ、電気的に制御される各制御部材を制御するための制御基板を、多種類の遊技機で共通的に使用できる共通回路基板と、種類別の遊技機に特有の制御を行なうための種類別回路基板とで構成し、両者を着脱自在にしたので、遊技盤の取替えやゲーム内容の細かな変更等に伴う制御回路の取替えが必要なときに、必要な回路部分だけを取替えることができ、安価に、かつ回路部品を節約しながら制御回路を提供することができる。」（第９頁左下欄第１行〜第１０行）
（引用例２）
「弾球遊技機の各種の遊技状態に適した効果音を効果音の種類別に対応するメモリに予めディジタル的に記憶させておき、弾球遊技機の遊技状態を遊技状態別に対応する検出器で検出し、いずれかの遊技状態検出器の出力があったとき複数のメモリを共通的に番地指定しかつ遊技状態検出器に対応するメモリのみを読出能動化制御することにより、当該メモリの音声情報のディジタル信号を読出制御する」（第２頁右下欄第２行〜第１０行）
「前記Ｐ−ＲＯＭ１〜８の各出力は共通のデータバスを介してディジタル−アナログ（以下Ｄ−Ａ）変換回路１４に与えられる。このＤ−Ａ変換回路１４は各Ｐ−ＲＯＭ１〜８から読出された音声情報のディジタル信号をアナログ信号に変換して音声発生手段１５に含まれる低周波増幅器１５１に与える。低周波増幅器１５１は、必要に応じて可変抵抗器を用いて音量調節自在とし、その増幅した音声情報のアナログ信号すなわち効果音をスピーカ１５２から発生させる」（第３頁左下欄第１６行〜右下欄第５行）
（引用例３）
「２．特許請求の範囲
（１）ＣＰＵ、入出力コントローラ、ＲＡＭ及びＲＯＭからなるマイクロコンピューターの構成要素が一つの素子上に形成された半導体素子により構成されたことを特徴とする弾球遊戯機。」（特許請求の範囲）
「本発明の弾球遊戯機はＣＰＵ、入出力コントローラ、ＲＡＭ及びＲＯＭ全てのマイクロコンピューターの構成要素が一つの素子上に形成された半導体素子より構成されたことを特徴とするため、従来の弾球遊戯機が有していたような種々の回路のための配線が不要となり、電気制御部の構成が簡単になると共に、前記回路間の接続が不要となり、信号授受が確実に行なわれ、遊戯機の組立工数を減少せしめて機単価を廉価にし、量産がはかれる」（第５頁左下欄第１５行〜同右下欄第５行）
（３−３）対比判断
　そこで、本件発明と上記引用例１記載の発明とを対比すると、両者はパチンコ機の制御回路において、複数種のパチンコ機にそれぞれ共通使用可能な共通回路と固有な非共通回路とで構成する点で共通する発明である。そして、引用例１記載の構成要素である共通回路基板、種類別回路基板、音発生回路は、それぞれ本件発明における共通回路、非共通回路、音声信号回路にそれぞれ対応相当するものであるから、引用例１には（本件発明の記載を借りると）、「パチンコ機に設けた入力装置から入力される信号に応じ予め格納された遊技手順に基づいて前記パチンコ機に設けた出力装置を制御する制御回路を有し、該制御回路を遊技内容又は仕様が異なる複数種の前記パチンコ機にそれぞれ共通使用可能な共通回路（ＣＰＵ、ＲＡＭ、音回路、電源回路）と、前記遊技内容又は仕様が異なる複数種の各パチンコ機にそれぞれ固有な非共通プログラムが格納されている非共通ＲＯＭを備えた非共通回路とで構成し、前記共通回路には集積回路（ＣＰＵとＲＡＭ）が設けられており、前記共通回路は、種類の異なるパチンコ機に共通に仕様可能な音声を発生させる音声信号回路を含み、音声信号発生回路の出力信号をパチンコ機に設けたスピーカに入力するように構成したパチンコ機の制御装置。」が記載されているものである。
　しかしながらこの引用例１には、本件発明で特定する構成要素である、（１）「制御回路を遊技内容又は仕様が異なる複数種のパチンコ機にそれぞれ共通使用可能な共通プログラムが格納されているＲＯＭを備えた共通回路」とする構成、（２）「共通回路には、少なくとも共通プログラムが格納されているＲＯＭおよびＣＰＵが一体に形成される集積回路が設けられており」とする構成、（３）「共通回路は、種類の異なるパチンコ機に共通に仕様可能な音声を発生させる音声信号回路を含み、非共通回路は、固有音声を発生させる音声信号発生回路を含み」とする構成についての記載はなく、またそれを示唆する記載もない。
　一方、引用例２及び引用例３には、「コンピュータを利用したデジタルパチンコ機の普及に伴い、その効果音として種類の異なるそれぞれのパチンコ機に固有の音声信号を作成して制御回路に記憶させ、これをパチンコ機に設けたスピーカに出力するようにする技術」、「パチンコ機の電子制御素子であるＣＰＵ、ＲＡＭ、ＲＯＭ等を集積回路化する技術」が記載されているものの、パチンコ機の制御装置を共通回路と非共通回路に分離する際、上記（１）〜（３）の具体的構成を示唆する記載はない。
　そして、本件発明はこれらの構成によって、「回路の交換が容易」で「音によって周囲に居る者の注意力を喚起」させ、「不正行為を施すことが困難」となる等、明細書記載の格別の効果を奏するものである。
　したがって本件発明は、各引用例記載の発明から容易になし得たものとすることはできないから、特許出願の際独立して特許を受けることができるものである。
（４）むすび
　以上のとおり、上記訂正の内容は特許法第１２０条の４第２項及び同条第３項で準用する同法第１２６条第２ないし４項の規定に適合するから、当該訂正請求を認める。
３．特許異議の申立てについての判断
（１）申立て理由の概要
　申立人細江裕実は、本件特許の発明は甲第１号証ないし甲第５号証に記載の発明から容易になし得たものであり、特許法第２９条第２項の規定に違反して特許されたものであるから、その特許は同法第１１３条第１項第２号の規定により取り消されるべきである旨主張している。
（２）訂正後の本件発明
　訂正後の本件発明の要旨（以下、本件発明という）は、訂正明細書の特許請求の範囲に記載された事項により特定されるとおりのものと認める（上記１．（１）訂正の内容参照）。
（３）証拠及び対比・判断
　申立人細江裕実が提出した甲第２号証（特開昭６２−１８３７７９号公報）、甲第４号証（特開昭５６−１３９７７５号公報）、甲第５号証（特開昭５５−１３３２７４号公報）は、当審が先の取消理由通知書にて引用した刊行物であり、前記２．（３）独立特許要件の判断にて示したように、本件発明が、これら各刊行物記載の発明から容易になし得たものとすることはできない。
　また、甲第１号証（特開昭５８−９２３８０号公報）には、「遊技機の電子制御装置において、基本機能をＲＯＭ１１に記憶させ、ゲーム内容を変える定数をＰＲＯＭ１２に記憶させる（書き込む）か、異なるゲーム毎の定数を記憶させたＲＯＭに交換する」技術が、また甲第３号証（特開昭６２−１８３７８０号公報）には、「パチンコ機の制御装置として、２つのＣＰＵとＲＯＭ、ＲＡＭからなるデュアル・ワンチップマイクロコンピュータを用い、１つのＣＰＵはパチンコ機の主制御用に、他のＣＰＵは制御の複雑な発音装置の制御専用に利用する」技術がそれぞれ開示されているにとどまり、本件発明で特定する構成要素である、（１）「制御回路を遊技内容又は仕様が異なる複数種のパチンコ機にそれぞれ共通使用可能な共通プログラムが格納されているＲＯＭを備えた共通回路」とする構成、（２）「共通回路には、少なくとも共通プログラムが格納されているＲＯＭおよびＣＰＵが一体に形成される集積回路が設けられており」とする構成、（３）「共通回路は、種類の異なるパチンコ機に共通に仕様可能な音声を発生させる音声信号回路を含み、非共通回路は、固有音声を発生させる音声信号発生回路を含み」とする構成についての記載はなく、またそれを示唆する記載もない。
　そして、本件発明はこれらの構成によって、「回路の交換が容易」で「音によって周囲に居る者の注意力を喚起」させ、「不正行為を施すことが困難」となる等、明細書記載の格別の効果を奏するものである。
　したがって、本件発明は異議申立人が提出した甲第１号証ないし甲第５号証に記載された発明から容易になし得たものとすることはできない。
（４）むすび
　以上のとおり、申立人が主張する各理由及び各証拠によっては、本件発明に係る特許を取り消すことはできない。
　さらに、本件発明に係る特許を取り消すべき他の理由を発見しない。
　よって、結論のとおり決定する。
【異議決定日】
平成１２年９月１日（２０００．９．１）
【訂正の要旨】
訂正の要旨
１．特許請求の範囲の訂正
「１．パチンコ機に設けた入力装置から入力される信号に応じ格納された遊技手順に基づいて前記パチンコ機に設けた出力装置を制御する制御回路を有し、該制御回路を複数種の前記パチンコ機にそれぞれ共通使用可能な共通回路と前記複数種の各パチンコ機にそれぞれ固有な非共通回路とで構成し、前記共通回路は、種類の異なるパチンコ機に共通に仕様可能な音声を発生させる音声信号回路を含み、前記非共通回路は固有音声を発生させる音声信号発生回路を含み、前記各々の音声信号発生回路の出力信号をパチンコ機に設けたスピーカに入力するように構成したことを特徴とするパチンコ機の制御装置。
２．共通回路は、少なくとも共通ＲＯＭおよびＣＰＵが一体に形成される集積回路が設けられていることを特徴とする請求項１に記載のパチンコ機の制御装置。」を、
「１．パチンコ機に設けた入力装置から入力される信号に応じ予め格納された遊技手順に基づいて前記パチンコ機に設けた出力装置を制御する制御回路を有し、該制御回路を遊技内容又は仕様が異なる複数種の前記パチンコ機にそれぞれ共通使用可能な共通プログラムが格納されているＲＯＭを備えた共通回路と、前記遊技内容又は仕様が異なる複数種の各パチンコ機にそれぞれ固有な非共通プログラムが格納されている非共通ＲＯＭを備えた非共通回路とで構成し、前記共通回路には、少なくとも共通プログラムが格納されている前記ＲＯＭおよびＣＰＵが一体に形成される集積回路が設けられており、前記共通回路は、種類の異なるパチンコ機に共通に仕様可能な音声を発生させる音声信号回路を含み、前記非共通回路は、固有音声を発生させる音声信号発生回路を含み、前記各々の音声信号発生回路の出力信号をパチンコ機に設けたスピーカに入力するように構成したことを特徴とするパチンコ機の制御装置。」と訂正する。
２．発明の詳細な説明の欄の訂正
（訂正事項ａ）
「【００１９】【課題を解決するための手段】本発明は上記課題を解決するための手段として、請求項１に記載された発明においては、パチンコ機に設けた入力装置から入力される信号に応じ格納された遊技手順に基づいて前記パチンコ機に設けた出力装置を制御する制御回路を有し、該制御回路を複数種の前記パチンコ機にそれぞれ共通使用可能な共通回路と前記複数種の各パチンコ機にそれぞれ固有な非共通回路とで構成し、前記共通回路は、種類の異なるパチンコ機に共通に仕様可能な音声を発生させる音声信号回路を含み、前記非共通回路は、固有音声を発生させる音声信号発生回路を含み、前記各々の音声信号発生回路の出力信号をパチンコ機に設けたスピーカに入力するような構成としている。」を、
「【００１９】【課題を解決するための手段】本発明は上記課題を解決するための手段として、請求項１に記載された発明においては、パチンコ機に設けた入力装置から入力される信号に応じ予め格納された遊技手順に基づいて前記パチンコ機に設けた出力装置を制御する制御回路を有し、該制御回路を遊技内容又は仕様が異なる複数種の前記パチンコ機にそれぞれ共通使用可能な共通プログラムが格納されているＲＯＭを備えた共通回路と、前記遊技内容又は仕様が異なる複数種の各パチンコ機にそれぞれ固有な非共通プログラムが格納されている非共通ＲＯＭを備えた非共通回路とで構成し、前記共通回路には、少なくとも共通プログラムが格納されている前記ＲＯＭおよびＣＰＵが一体に形成される集積回路が設けられており、前記共通回路は、種類の異なるパチンコ機に共通に仕様可能な音声を発生させる音声信号回路を含み、前記非共通回路は、固有音声を発生させる音声信号発生回路を含み、前記各々の音声信号発生回路の出力信号をパチンコ機に設けたスピーカに入力するように構成したことを特徴とする。」と訂正する。
（訂正事項ｂ）
「【００２０】また請求項２に記載された発明においては、請求項１に記載のものにおいて、共通回路は、少なくとも共通ＲＯＭおよびＣＰＵが一体に形成される集積回路が設けられていることを特徴とする請求項１に記載のパチンコ機の制御装置。」を削除する。
（訂正事項ｃ）
「【００２１】本発明は上記構成により、遊技内容を他内容に変換する場合、共通回路、非共通回路の双方に備えられた音声信号発生回路を作動させるときに、パチンコ機のスピーカからそれぞれ固有の音を発するので、周囲に居る者の注意を喚起することになる。又、共通集積集積回路が少なくとも共通ＲＣＭおよびＣＰＵを一体に形成しているので、第三者が共通集積回路の構成と、その周辺回路における相関関係とのハードウエアおよびソフトウエアについて解析することを、複数種類の回路が混在する集積回路で形成することで困難にするとともに、不正行為の発生を抑止する。」を、
「【００２１】本発明は上記構成により、遊技内容を他内容に変換する場合、共通回路、非共通回路の双方に備えられた音声信号発生回路を作動させるときに、パチンコ機のスピーカからそれぞれ固有の音を発するので、周囲に居る者の注意を喚起することになる。又、共通集積回路が少なくとも共通ＲＯＭおよびＣＰＵを一体に形成しているので、第三者が共通集積回路の構成と、その周辺回路における相関関係とのハードウエアおよびソフトウエアについて解析することを、複数種類の回路が混在する集積回路で形成することで困難にするとともに、不正行為の発生を抑止する。」と訂正する。
（訂正事項ｄ）
「【００３８】共通回路８は遊技内容または仕様が異る複数種類のパチンコ機２にそれぞれ共通仕様可能であり、非共通回路９は前記複数種類の各パチンコ機２にそれぞれパチンコ機に固有なものである。したがって、非共通回路９は異機種の各パチンコ機間における共通仕様は不可能である。」を、
「【００３８】共通回路８は遊技内容または仕様が異る複数種類のパチンコ機２にそれぞれ共通使用可能であり、非共通回路９は前記複数種類の各パチンコ機２にそれぞれパチンコ機に固有なものである。したがって、非共通回路９は異機種の各パチンコ機間における共通使用は不可能である。」と訂正する。
（訂正事項ｅ）
「【００６１】【発明の効果】本発明は、以上説明したように、パチンコ機に設けた入力装置から入力される信号に応じ予め格納された遊技手順に基づいて前記パチンコ機に設けた出力装置を制御する制御回路を有し、該制御回路を複数種の前記パチンコ機にそれぞれ共通使用可能な共通回路と前記複数種の各パチンコ機にそれぞれ固有な非共通回路とで構成し、前記共通回路は、種類の異なるパチンコ機に共通に使用可能な音声を発生させる音声信号回路を含み、前記非共通回路は固有音声を発生させる音声信号発生回路を含み、前記各々の音声信号発生回路の出力信号をパチンコ機に設けたスピーカに入力するように構成したことを特徴とするパチンコ機の制御装置であるから、共通回路および非共通回路ともに交換が容易になり、かつ、共通回路には共通に使用可能な音声を発生させる音声信号発生回路を設け、非共通回路には、固有の音声を発生させる音声信号発生回路を設け、各々の出力信号をパチンコ機に設けたスピーカに入力したので、その状態が周囲に居る者の注意力を喚起することになり、その効果は多大である。」を、
「【００６１】【発明の効果】本発明は、以上説明したように、パチンコ機に設けた入力装置から入力される信号に応じ予め格納された遊技手順に基づいて前記パチンコ機に設けた出力装置を制御する制御回路を有し、該制御回路を遊技内容又は仕様が異なる複数種の前記パチンコ機にそれぞれ共通使用可能な共通プログラムが格納されているＲＯＭを備えた共通回路と、前記遊技内容又は仕様が異なる複数種の各パチンコ機にそれぞれ固有な非共通プログラムが格納されている非共通ＲＯＭを備えた非共通回路とで構成し、前記共通回路には、少なくとも共通プログラムが格納されている前記ＲＯＭおよびＣＰＵが一体に形成される集積回路が設けられており、前記共通回路は、種類の異なるパチンコ機に共通に使用可能な音声を発生させる音声信号回路を含み、前記非共通回路は、固有音声を発生させる音声信号発生回路を含み、前記各々の音声信号発生回路の出力信号をパチンコ機に設けたスピーカに入力するように構成したことを特徴とするパチンコ機の制御装置であるから、共通回路および非共通回路ともに交換が容易になり、かつ、共通回路には共通にしよう可能な音声を発生させる音声信号発生回路を設け、非共通回路には、固有の音声を発生させる音声信号発生回路を設け、各々の出力信号をパチンコ機に設けたスピーカに入力したので、その状態が周囲に居る者の注意力を喚起することになり、その効果は多大である。」と訂正する。
（５４）【発明の名称】
パチンコ機の制御装置
（５７）【特許請求の範囲】
　　１．パチンコ機に設けた入力装置から入力される信号に応じ予め格納された遊技手順に基づいて前記パチンコ機に設けた出力装置を制御する制御回路を有し、
　該制御回路を
遊技内容又は仕様が異なる
共通プログラムが格納されているＲＯＭを備えた
、
　前記
遊技内容又は仕様が異なる
非共通プログラムが格納されている非共通ＲＯＭを備えた
　
前記共通回路には、少なくとも共通プログラムが格納されている前記ＲＯＭおよびＣＰＵが一体に形成される集積回路が設けられており、
　前記共通回路は、種類の異なるパチンコ機に共通に仕様可能な音声を発生させる音声信号回路を含み、
　前記非共通回路は、固有音声を発生させる音声信号発生回路を含み、
　前記各々の音声信号発生回路の出力信号をパチンコ機に設けたスピーカに入力するように構成したことを特徴とするパチンコ機の制御装置。
【発明の詳細な説明】
　　　【０００１】
　　　【発明の属する技術分野】
　本発明は、遊技内容を交換するために使用するパチンコ機の制御装置に関するものである。
　　　【０００２】
　　【従来の技術】
　近年、パチンコ機においては、マイクロコンピュータの普及に伴ない複雑高度な遊技が可能になり、遊技の多様化が望まれているため、パチンコ機は一定サイクルで新規の遊技内容を有するものに交換される。
　　　【０００３】
　この交換は経済的な理由からパチンコ機の全体について行われるものではなく、各構成部品の一部を交換している。
　　　【０００４】
　パチンコ機は遊技内容、いいかえれば機種が異っても基本的な装置の構成および遊技手順が変化することはなく、打球装置、賞品球払出装置など機構部の交換がなされることは少ない。
　　　【０００５】
　すなわちパチンコ機の交換は、ゲージ盤と呼ばれる遊技盤と、遊技手順を実行するための電子制御系部品（以下、「電子部品」という）によって構成される制御装置のみを交換すればよい。
　　　【０００６】
　ところで上記制御装置の電子部品は図７に示すように基板に実装され、ＣＰＵ３０など、交換後のパチンコ機にも共通に使用可能な回路を構成する共通電子部品と、固有の遊技手順（プログラム）を格納したＲＯＭ２０など、共通使用不可能な回路を構成する非共通電子部品とに分類される。
　　　【０００７】
　このため遊技盤については、その意匠上の理由からも、全てを新たなものに交換する必要があるが、電子部品においては、非共通なもののみを新たに交換することが経済的に望ましい。
　　　【０００８】
　上記の共通電子部品には、ＣＰＵ３０、ＲＡＭ３１、パチンコ機を構成する基本的な構成部材を制御するための基本プログラムが格納されているＲＯＭ３２、機構部（図示省略）とＣＰＵ３０との基本的な電気的整合を図るための整合回路３３、電源回路３４、基本的な効果音などを発生させるための音声信号発生回路２８、および、抵抗器などがある。
　　　【０００９】
　他方、非共通電子部品には、新遊技盤の遊技手順など、新たな遊技に固有なものである固有プログラムと、その実行のために必要なデータとが格納されているＲＯＭ２０、遊技の進行に伴う遊技手順の実行時に、ＣＰＵ３０の演算結果および各種データなどを一時的に格納するための記憶容量拡張用のＲＡＭ３７、前記機構部とＣＰＵ３０との固有な整合を図る整合回路３８、固有な効果音などを発生させる音声信号発生回路３５、固有な機構を制御する回路および抵抗器などがある。
　　　【００１０】
　これらの電子部品のうち、非共通電子部品のみを新たに交換するには旧遊技盤をその設置場所から外し、旧遊技盤の共通電子部品を取外す。そして、この取外した共通部品を予め非共通電子部品が装着された新遊技盤に装着し、この新遊技盤をこれらの電子部品とともに前記設置場所に再設置する。
　　　【００１１】
　すなわちパチンコ機の電子部品において、旧遊技盤の共通電子部品は再利用され、非共通電子部品のみを交換したことになる。この再設置後に機構部と電子部品との電子系の検査および機構部と電子部品との整合を検査してパチンコ機の交換を終了する。
　　　【００１２】
　又、このパチンコ機に関する電子部品の交換作業は、各電子部品を共通または非共通なもの毎に分類実装し複数基板単位で行われていたものが特開昭６２−１８３７７９号公報にある。
　　　【００１３】
　　【発明が解決しようとする課題】
　前記のように、電子部品（制御装置）を遊技盤とともに全て交換した場合に経済的問題が生じるが、非共通電子部品のみを交換する場合には以下に説明するような問題があるので、現状では新遊技盤用の全ての電子部品が実装された単体基板を新遊技盤に交換していた。
　　　【００１４】
　これらの基板は従来の単体の基板を分離してコネクタで一体に形成しているので、各基板は従来のものより小型化されている。これにより、着脱が容易であるために基板上の回路およびＲＯＭ内容を変更するなど不正行為発生の可能性が大きくなる。
　　　【００１５】
　すなわちＲＯＭには遊技機器の主構成たる遊技手順が格納されており、ＲＯＭを基板から取り外してＲＯＭライタで複写、改竄することは容易であり、さらには制御回路に装着されているＣＰＵの代わりに、エミュレータを接続することによって遊技手順を解析することはきわめて容易で、上記ＲＯＭライタおよびエミュレータのいずれも、市販の機種で充分活用できるのである。
　　　【００１６】
　特開昭６２−１８３７７９号は、共通的に使用可能な共通回路部と、各種のパチンコ遊技機に特有の種類別回路とを設けているが、ゲーム内容の変更に対処しているのみであり、音声信号発生回路は共通回路には設けられているが、種類別回路には設けられていないので、種類別回路を操作したときの告知はできない。
　　　【００１７】
　又、音声については入賞装置の作動音や、大当り時の報知音、球の払出音や球貸出し音などについては、電気的に表示するようにしたものはあるが、共通化、非共通化に対する考えはない。
　　　【００１８】
　そのために本発明は、交換が容易、確実であり、不正行為防止対策手段を有するとともに共通回路には、共通使用可能な音声信号発生回路を設け、非共通回路には固有の音声信号発生回路を設けたパチンコ機の制御回路を提供するものである。
　　　【００１９】
　　【課題を解決するための手段】
　本発明は上記課題を解決するための手段として、請求項１に記載された発明においては、パチンコ機に設けた入力装置から入力される信号に応じ予め格納された遊技手順に基づいて前記パチンコ機に設けた出力装置を制御する制御回路を有し、
　該制御回路を
遊技内容又は仕様が異なる
共通プログラムが格納されているＲＯＭを備えた
、
　前記
遊戯内容又は仕様が異なる
非共通プログラムが格納されている非共通ＲＯＭを備えた
　
前記共通回路には、少なくとも共通プログラムが格納されている前記ＲＯＭおよびＣＰＵが一体に形成される集積回路が設けられており、
　前記共通回路は、種類の異なるパチンコ機に共通に仕様可能な音声を発生させる音声信号回路を含み、
　前記非共通回路は
、
　前記各々の音声信号発生回路の出力信号をパチンコ機に設けたスピーカに入力するように構成
したことを特徴とす
　　　【００２０】
　削除
　　　【００２１】
　本発明は上記構成により、遊技内容を他内容に変換する場合、共通回路、非共通回路の双方に備えられた音声信号発生回路を作動させるときに、パチンコ機のスピーカからそれぞれ固有の音を発するので、周囲に居る者の注意を喚起することになる。又、共通集積回路が少なくとも共通Ｒ
Ｏ
　　　【００２２】
　　【発明の実施の形態】
　以下に、本発明の一実施の形態を図面に基づいて詳細に説明する。図２は本発明のパチンコ機の制御装置１を備えた、パチンコ機であるパチンコ機２の裏側を示している。
　　　【００２３】
　パチンコ機２の制御装置１は基板３６（図５）に実装された各電子部品で構成され、３で示す基板ボックス内に従来同様に収容されている。
　　　【００２４】
　４は賞品球を貯溜する貯溜タンク、５は払出数を複数種類設けた賞品球払出装置６に貯溜タンク４の賞品球を誘導する誘導樋、７は基板３６に制御される打球装置で、この打球装置７は図１および図２ないし図３に示す出力装置（後述）１０の一部を構成している。
　　　【００２５】
　なお、基板３６の信号線の図示は省略してあり、１１（図３）は基板３６に制御信号を入力する入力装置を表わす。
　　　【００２６】
　パチンコ機２は本体である中枠１２と、中枠１２にヒンジ１５によって開閉可能な外枠１４と、中枠１２に設けた遊技盤収納枠１６とを主構成としている。この遊技盤収納枠１６には遊技盤１９がロック部材１８によって着脱可能に設けてある。
　　　【００２７】
　さらに、図４に示すように、４４は上皿、４５は下皿、４６はガラス枠、４７は遊技盤１９に設けた凸部（図示省略）を収容する収容穴、４８は遊技盤１９に係合して遊技盤１９を収容する収容凹部である。
　　　【００２８】
　入力装置１１は基板３６に遊技を行うための信号を入力するもので、基板３６には入力装置１１からの入力信号と、予めＲＯＭ（後述）２０に格納された固有の遊技手順とに基づいて出力装置１０に制御信号を入力する制御回路２９が組み込まれている。
　　　【００２９】
　図３に示すように、入力装置１１は打球装置７を作動させる打球開始スイッチ２１と、打球されたパチンコ球の入賞をパチンコ球の近接により検知する入賞検知スイッチ２２とを主構成とする。
　　　【００３０】
　打球開始スイッチ２１はパチンコ機２の表側右下に設けたハンドル２３に内蔵され、ハンドル２３の操作によって接点を閉じ打球（遊技）開始を表わす信号を発生させる。
　　　【００３１】
　入賞検知スイッチ２２は近接センサからなり、遊技盤１９の面に配設された入賞口２４内に収容されたリング状のものである。
　　　【００３２】
　入賞検知スイッチ２２は入賞球が前記リング内を通過することによって、打球されたパチンコ球が入賞したことを表わす信号を発生させる。２５はアウト球孔である。
　　　【００３３】
　そのほかの主な入力装置１１としては、特定の入賞状態を検知するとともに特定入賞を表わす信号を発生させる特定入賞検知スイッチ（図示省略）などがある。
　　　【００３４】
　出力装置１０は基板３６から入力される制御信号に基づいて遊技手順を実行するもので、打球装置７など共通使用可能なものと、パチンコ機２に固有な共通使用不可能なものとがある。
　　　【００３５】
　共通使用不可能なものには、たとえば本実施の形態の場合、遊技盤１９表側には前記特定入賞検知スイッチの特定の入賞条件に応じて入賞確率を上昇させる開閉翼２６、各種の入賞状態をランプの点灯によって表示する表示装置２７が配設してある。
　　　【００３６】
　そのほかの主な出力装置１０としては、パチンコ機２の表側に設けた各種の入賞状態を音声で表示するスピーカ（図示省略）、該スピーカに音声信号を入力する音声信号発生回路２８，３５などがある。
　　　【００３７】
　基板３６は出力装置１０を制御するための制御回路２９を構成する電子部品と、基板３６に設けたプリント配線（図示省略）とからなるもので、図１に破線で示すように、共通回路８および非共通回路９に分けられている。
　　　【００３８】
　共通回路８は遊技内容または仕様が異る複数種類のパチンコ機２にそれぞれ共通
使用
使用
　　　【００３９】
　共通回路８はＣＰＵ３０、ＲＡＭ３１、基本（共通）プログラムを格納したＲＯＭ３２、各パチンコ機２の共通の機構部（図示省略〜たとえば打球装置、賞品球払出装置など）とＣＰＵ３０との基本的な整合を図る整合回路３３、パチンコ機２の異常報知などの共通に使用可能な音声を発生させる音声信号発生回路２８、電源回路３４、発振回路４０、割込信号発生回路４１および抵抗器（図示省略）などの電子部品で構成される。
　　　【００４０】
　しかしながら、これらのうち少なくともＣＰＵ３０とＲＯＭ３２とが一体な集積回路を形成すれば、共通集積回路４２を旧機種の非共通回路９から、新たな非共通回路９に差し換えるだけで、パチンコ機２の種類に応じて容易、かつ、確実に交換することができる。
　　　【００４１】
　また上述した共通集積回路４２と、少なくともＲＯＭ２０を包含する回路とのいずれか一方が、他方に対して着脱可能に形成されていれば、集積回路間の着脱のみでパチンコ機２を他機種に交換できる。
　　　【００４２】
　他方、非共通回路９は各パチンコ機２の遊技手順など固有（非共通）プログラムとデータとを格納したＲＯＭ２０、記憶容量拡張用のＲＡＭ３７、前記機構部のうちのパチンコ機２に固有のもの（たとえば開閉翼など所定の条件に応じて入賞確率を上昇させるもの）とＣＰＵ３０との整合を図る整合回路３８、固有音声を発生させる音声信号発生回路３５、固有な機構部（開閉翼など）を制御する機構制御回路３９および抵抗器などの電子部品で構成される。
　　　【００４３】
　この非共通回路９は集積回路化してあり、図６に示すように、デュアルインラインパッケージ（以下、ＤＩＰ（Ｄｕａｌ　Ｉｎｌｉｎｅ　Ｐａｃｋａｇｅ）という）４２Ａに形成されている。
　　　【００４４】
　非共通回路９をＤＩＰ４２Ａで形成することにより、制御回路２９の構成要素が第三者によって識別されにくくしてあるため、たとえ第三者が制御回路２９の解析を試みても、共通回路８自体および非共通回路９自体の解析が困難なだけでなく、両回路の相関関係がきわめて把握しにくく、それはＤＩＰ４２Ａで構成された非共通回路９について一層顕著になる。
　　　【００４５】
　また、第三者による解析に際し、共通回路８自体および非共通回路９間で相互に授受される信号を時系列に沿って検出することに基づき、遊技の主構成たるソフトウエアの解析が考えられ、所謂エミュレータと呼ばれる解析機器（図示省略）を共通回路８の主構成たるＣＰＵ３０の代用として接続することになる。
　　　【００４６】
　しかしながら、たとえば共通回路８が図１に示すようにＣＰＵ３０および共通ＲＯＭ３２を主構成として、互いに混在させている集積回路で構成された場合、上記接続は困難をきわめ、このようなソフトウエア解析は事実上不可能である。
　　　【００４７】
　他方、非共通回路９がＤＩＰ４２Ａで構成されている場合、図示を省略した上記ＲＯＭライタを活用しようとしても、非共通回路９に包含されているＲＯＭ２０を上記ＲＯＭライタに対して装着させること、いいかえれば遊技特有の制御手段を上記ＲＯＭライタに読み込ませることは、上述した複数種類の回路の混在に起因して、きわめて困難になり、この種のソフトウエア解析は事実上不可能出ある。
　　　【００４８】
　４９はベアチップ、５０は金ワイヤ、５１はピン、５２はリードフレーム、５３は接着剤、１３は配線シート、１７はパッケージ基材である。また、４３はＤＩＰ４２を着脱可能に実装するソケットである。
　　　【００４９】
　つぎに上記構成の基板３６が装着されたパチンコ機２を、当該パチンコ機２と異る遊技手順（遊技内容）のパチンコ機２に交換する場合を以下に説明する。
　　　【００５０】
　まず、旧パチンコ機２の電源回路３４の機能を解除したのち、図示を省略した信号線などを適宜処理しながらロック部材１８を解除して遊技盤１９を取り外す。
　　　【００５１】
　そして基板ボックス３から基板３６を取り外して、ＤＩＰ４２Ａすなわち非共通回路９をソケット４３から引き抜く。
　　　【００５２】
　しかるのち、新パチンコ機２のＤＩＰ４２Ａすなわち非共通回路９をソケット４３に挿入し、基板３６を新パチンコ機２の基板ボックス３に装着して基板３６の交換を終了する。
　　　【００５３】
　なお本実施の形態は非共通回路のみを集積回路化したがどれに限定されるものではなく、共通回路８のみ、または共通回路と非共通回路とをともに集積回路化しても良い。
　　　【００５４】
　さらに本実施の形態における集積回路は、集積回路のチップをＤＩＰ４２Ａに収めた場合を説明したが、チップをボンディングなどによって基板３６に組み込んでもよい。この場合には、ほかの電子部品をソケット４３に着脱可能に実装する。
　　　【００５５】
　つぎに、図１により、本発明の実施の形態のうちの重要な部分を説明する。なお、説明の一部に先の説明と重複する部分があるが、理解しやすいように、あえて記載する。１はパチンコ機２の制御装置であり、複数種のパチンコ機２にそれぞれ共通使用可能な共通回路８、複数種の各パチンコ機にそれぞれ固有な非共通回路９からなる制御回路２９と、出力装置１０、入力装置１１、および電源回路３４から構成されており、パチンコ機の背部に設けられた基板ボックス内に従来同様に収容されているものである。
　　　【００５６】
　共通回路８にはＲＡＭ３１，ＲＯＭ３２，発振回路４０および割込信号発生回路４１が設けられており、それぞれＣＰＵ３０との間で信号の授受を行うようになっている。ＣＰＵ３０の入力側には、さらに非共通回路９のＲＯＭ２０とＲＡＭ３７と、入力装置１１の打球開始スイッチ２１および複数個の入賞検知スイッチ２２が接続されている。
　　　【００５７】
　ＣＰＵ３０の出力側は、共通回路８の整合回路３３と非共通回路９の整合回路３８の入力側に接続されている。整合回路３３の出力側は共通回路８の音声信号発生回路２８と、出力装置１０の賞品球払出装置６および打球装置７に接続されている。音声信号発生回路２８には、図示しないがパチンコ機２に設けたスピーカが接続されている。
　　　【００５８】
　非共通回路９の整合回路３８の出力側は、非共通回路９の音声信号発生回路３５と、機構制御回路３９および出力装置１０の表示装置２７に接続されている。音声信号発生回路３５には図示しないがパチンコ機に設けたスピーカが接続されている。機構制御回路３９の出力側には、出力装置１０の開閉翼２６が接続されている。
　　　【００５９】
　このように構成されたこの装置において、遊技内容を変更するために非共通回路９を新しいものと交換するとき、交換終了後の試験において作動させると、出力装置１０の表示装置２７が作動してその状態を表示するとともに、非共通回路９の音声信号発生回路３５が作動してその出力側に接続されたパチンコ機２のスピーカを吹鳴させる。
　　　【００６０】
　また、共通回路８を作動させたときには、共通回路８の音声信号発生回路３５が作動してその出力側に接続されたパチンコ機２のスピーカを吹鳴させる。この音声は種類の異なるパチンコ機２に共通に使用するものであり、非共通回路９は固有音声を発生させるので、音声を聞けばいずれの回路を操作したかがわかることになる。
　　　【００６１】
　　【発明の効果】
　本発明は、以上説明したように、パチンコ機に設けた入力装置から入力される信号に応じ予め格納された遊技手順に基づいて前記パチンコ機に設けた出力装置を制御する制御回路を有し、該制御回路を
遊技内容又は仕様が異なる
共通プログラムが格納されているＲＯＭを備えた
、
遊技内容又は仕様が異なる
非共通プログラムが格納されている非共通ＲＯＭを備えた
前記共通回路には、少なくとも共通プログラムが格納されている前記ＲＯＭおよびＣＰＵが一体に形成される集積回路が設けられており、
、
　　　【００６２】
　又、本発明は以上のように構成したものなので、パチンコ機を他機種に交換するとき、集積回路によって構成した共通回路または非共通回路をパチンコ機の種類に応じて容易かつ確実に交換することができ、また集積回路には不正行為を施すことが困難になる。
【図面の簡単な説明】
　　【図１】
　本発明の実施の形態を示す回路図である。
　　【図２】
　図１のものを収容したパチンコ機裏側を表した背面図である。
　　【図３】
　図２のものの正面図である。
　　【図４】
　図３に示した遊技盤の着脱状態を表した斜視図である。
　　【図５】
　図１のものの斜視図である。
　　【図６】
　図１に示した集積回路をＤＩＰで構成した場合を示した正面図である。
　　【図７】
　従来のパチンコ機の制御基板を示した斜視図である。
　　【符号の説明】
　１　　制御装置
　８　　共通回路
　９　　非共通回路
　１０　出力装置
　１１　入力装置
　２８　音声信号発生回路
　３３　整合回路
　３５　音声信号発生回路
　３８　整合回路